(57)【特許請求の範囲】
【請求項１】
感光体の幅方向に延設された帯電ワイヤに高電圧を印加してコロナ放電を発生させ、所定のグリッド電圧が印加されたグリッドを介して前記感光体表面を所定電圧に帯電させる帯電装置であって、
前記感光体側を開放して前記帯電ワイヤを収納するシールドケースと、
前記シールドケースの長手方向端部に取り付けられ、前記グリッドを保持する保持部材とを備え、
前記保持部材は、前記シールドケースの長手方向に突出させて折り曲げられた形状の弾性部を有し、この弾性部が弾性変形して前記グリッドに張力を付与した状態で前記グリッドを保持することを特徴とする帯電装置。
【請求項２】
前記保持部材は、前記弾性部が前記シールドケースの長手方向において内側に突出させて折り曲げられた形状とされていることを特徴とする請求項１に記載の帯電装置。
【請求項３】
前記保持部材は、前記グリッドが係止される係止部と、前記シールドケースの長手方向において当該係止部から外れた位置に設けられ、前記シールドケースの長手方向に延び、下部がシールドケース底部に当接する支持部とを有することを特徴とする請求項１又は請求項２に記載の帯電装置。
【発明の詳細な説明】
【０００１】
【発明の属する技術分野】
本発明は、複写機、ファクシミリ及びプリンタ等の電子写真方式の画像形成装置に用いられ、感光体表面を所定電位に帯電させる帯電装置に関する。
【０００２】
【従来の技術】
従来から、複写機等の電子写真方式の画像形成装置には、感光体ドラム表面での静電潜像の形成を可能にするために、感光体ドラムを所定電位に帯電させる帯電装置が備えられている。図１２に示すように、帯電装置３´は、感光体ドラム４に対向してその幅方向（すなわち感光体ドラム４の回転軸方向）に延びる帯電ワイヤ３１が、感光体ドラム４側を開放したシールドケース３２´内に納められ、シールドケース３２´の開放部にグリッド３３を設けた構造とされている。そして、帯電ワイヤ３１に高電圧を印加して感光体ドラム４表面を帯電させると共に、グリッド３３にバイアス電圧を印加して感光体ドラム４表面の帯電電位ムラを低減している。
【０００３】
図１３に示すように、グリッド３３は、シールドケース３２の長手方向端部に取り付けられた保持部材３５´によって、所要の張力が与えられた状態で保持されている。これは、感光ドラム４の帯電電位を均一に制御するために、自重による垂れ下がりを防止して、その位置精度を所定の範囲内にする必要からである。この保持部材３５´は、組立時、輸送時、環境変化時などに張力変化が少なくなるように板バネで形成されることが多く、グリッド３３が係止される係止部３５ａ´と、シールドケース３２´に取り付られて固定される基体部３５ｂ´と、弓なりに弾性変形することによって、係止部３５ａ´に係止されたグリッド３３に張力を付与する弾性部３５ｃ´が設けられている。
【０００４】
【発明が解決しようとする課題】
上記の保持部材３５´は、グリッド３３に所要の張力を付与するための弾性を得るために、弾性部３５ｃ´の上下方向の長さｌがある程度長く形成されている。そのため、保持部材３５´が大きくなってしまい、帯電装置３´の小型化を妨げる要因となっている。また、弾性部３５ｃ´の長さｌを短くした保持部材３５´によって上記所要の張力を得ようとすると、弾性部３５ｃ´の変形量を大きくしなければならないため、適度な張力が得られるように弾性部３５ｃ´を設定することは困難である。
【０００５】
本発明は、上述した問題点を解決するためになされたものであり、保持部材が小型化され、しかも、グリッドに所要の張力を安定して付与することができる帯電装置を提供することを目的とする。
【０００６】
【課題を解決するための手段】
上記目的を達成するために請求項１に記載の発明は、感光体の幅方向に延設された帯電ワイヤに高電圧を印加してコロナ放電を発生させ、所定のグリッド電圧が印加されたグリッドを介して前記感光体表面を所定電圧に帯電させる帯電装置であって、
前記感光体側を開放して前記帯電ワイヤを収納するシールドケースと、
前記シールドケースの長手方向端部に取り付けられ、前記グリッドを保持する保持部材とを備え、
前記保持部材は、前記シールドケースの長手方向に突出させて折り曲げられた形状の弾性部を有し、この弾性部が弾性変形して前記グリッドに張力を付与した状態で前記グリッドを保持するものである。
【０００７】
この構成によれば、保持部材の弾性部が、シールドケースの長手方向に突出させて折り曲げられた形状とされているので、この弾性部が弾性変形すると、その上下方向長さのわりには撓み量が大きくなり、所要の張力を得るための弾性部の調整・設定を簡単に行うことができる。これにより、グリッドの所要張力と、弾性部からグリッドに付与される張力との誤差を少なくすることができるため、保持部材を小さく構成しても、比較的安定した張力をグリッドに付与することができる。
【０００８】
また、請求項２に記載の発明は、請求項１に記載の帯電装置であって、前記保持部材は、前記弾性部が前記シールドケースの長手方向において内側に突出させて折り曲げられた形状とされているものである。
【０００９】
この構成によれば、弾性部がシールドケースの長手方向において内側に突出して折り曲げられており、弾性部の折曲部分が、シールドケース長手方向における外側に突出しないので、保持部材の取り付けに要するシールドケースの長手方向のスペースを削減することができる。
【００１０】
また、請求項３に記載の発明は、請求項１又は請求項２に記載の帯電装置であって、前記保持部材は、前記グリッドが係止される係止部と、前記シールドケースの長手方向において当該係止部から外れた位置に設けられ、前記シールドケースの長手方向に延び、下部がシールドケース底部に当接する支持部とを有するものである。
【００１１】
この構成によれば、支持部の下部とシールドケース底部との当接によって保持部材が支持されるため、保持部材の弾性部が弾性変形して保持部材がシールドケースの内部側に引張られる場合等に、当該引張られる方向への保持部材の傾きが軽減され、シールドケースに対する保持部材の取り付け状態が安定する。
【００１２】
【発明の実施の形態】
以下、本発明の一実施形態に係る帯電装置について図面を参照して説明する。図１は本発明の帯電装置が備えられた画像形成装置の概略構成を示す模式図である。図１に示すように、本発明に係る画像形成装置の一例である複写機１では、複写機本体２内において、帯電装置３により図中のＡ方向に回転する感光体ドラム（感光体又は像担持体）４が一様に帯電され、原稿読取装置５で読み取られた原稿画像に基づく露光装置（レーザ走査ユニット等）６からのレーザビームにより感光体ドラム４上に静電潜像が形成され、現像装置７により静電潜像に現像剤（以下、トナーという）が付着されてトナー像が形成される。この現像装置７へのトナーの供給は、トナーコンテナ８から行われる。
【００１３】
上記のようにトナー像が形成された感光体ドラム４に向けて、給紙機構９から用紙が用紙搬送路１０を経由して搬送され、転写ローラ１１により感光体ドラム４表面のトナー像が用紙に転写される。そして、トナー像が転写された用紙は感光体ドラム４から分離され、定着ローラ対を有する定着装置１２に搬送されてトナー像が定着される。定着装置１２を通過した用紙は、複数方向に分岐した用紙搬送路１３に送られて、用紙搬送路１３の分岐点で分岐部材によって搬送方向が振り分けられ、そのまま（或いは、用紙搬送路１７に送られて両面コピーされた後に）、上シートトレイ１０２ａ、下シートトレイ１０２ｂ又はシートトレイ１０３の用紙排出部から排出される。
【００１４】
本発明は、上記帯電装置３に係るものであり、特に、グリッドの帯電装置３のシールドケースへの取り付けに関するものである（詳細は後述）。
【００１５】
なお、１６はクリーニング部で、感光体ドラム４上の残留トナー等を除去するものであり、摺擦ローラ１６０は感光体ドラム４表面をリファイニングするものである。また、給紙機構９は、複写機本体２に着脱自在に取り付けられ、用紙を収納する給紙カセット９１，９２と、その上方に設けられるスタックバイパス（バイパストレイ）９３とを備えてなり、これらは用紙搬送路１０によって感光体ドラム４及び現像装置７等からなる画像形成部に繋がっている。
【００１６】
上記帯電装置３について図２及び先に示した図１２を用いて説明する。図２は帯電装置３を示す斜視図である。帯電装置３は、感光体ドラム４に対向してその幅方向に延びるコロナ放電用の帯電ワイヤ３１と、この帯電ワイヤ３１が収められ、感光体ドラム４側が開放された長尺状箱体のシールドケース３２と、このシールドケース３２の開放部３２ａに、帯電ワイヤ３１と感光体ドラム４との間に介在させるようにして取り付けられたグリッド３３とを有している。帯電装置３は、帯電ワイヤ３１に高電圧を印加してコロナ放電を発生させ、グリッド３３を介して感光体ドラム４表面を所定電位に帯電させる。グリッド３３にはバイアス電圧が印加されており、感光体ドラム４表面の帯電電位ムラを低減するようになっている。
【００１７】
帯電ワイヤ３１は、シールドケース３２内において、感光体ドラム４の幅方向、すなわち、感光体ドラム４の回転軸方向に亘って張架されている。グリッド３３は、網目状の穴３３ｅが帯電電位を制御する制御領域に開けられた導電体の薄板であり、シールドケース３２の長手方向両端部に係止されている。また、シールドケース３２の長手方向端部の側壁（図２において手前側）には、シールドケース３２への帯電ワイヤ３１及び後述する保持部材の取り付けの利便性を向上させるために切欠部３２ｂが設けられている。
【００１８】
次に、グリッド３３をシールドケース３２の長手方向端部に取り付けるために用いる保持部材について説明する。図３は保持部材を示す斜視図、図４は図３とは別角度から見た状態の保持部材を示す斜視図である。保持部材３５はシールドケース３２の長手方向端部の側壁の内側に取り付けられ、グリッド３３を係止してシールドケース３２に係止させる役割を果たす。
【００１９】
保持部材３５は、グリッド３３が係止される係止部３５ａと、シールドケース３２端部に取り付けられて固定される基体部３５ｂと、弾性変形してグリッド３３に張力を付与する弾性部３５ｃとを有している。係止部３５ａは、グリッド３３の長手方向端部付近に形成された穴３３ａ（図２）と係止するものである。この係止部３５ａには、係止部３５ａに係止したグリッド３３の上下方向への移動を規制するために鍔部３５ｄが設けられている。
【００２０】
弾性部３５ｃは、基体部３５ｂから上方に延びるように設けられており、その上端部に上記係止部３５ａが設けられている。弾性部３５ｃは、シールドケース３２の長手方向において外側に突出させて折り曲げられた形状とされ、側面視略「Ｃ」字状とされている。これにより、弾性部３５ｃは、シールドケース３２の長手方向及びそれに直交する方向（上下方向）に弾性変形するようになっている。係止部３５ａにグリッド３３の穴３３ａが係止され、保持部材３５がグリッド３３を保持した状態となったとき、上記弾性変形によって生じる弾性力でグリッド３３に張力が付与されるようになっている。
【００２１】
基体部３５ｂには、その上部に、シールドケース３２の長手方向端部の側壁に接触する突出片３５ｅが設けられている。この突出片３５ｅは可撓性を有し、シールドケース３２の長手方向において外側に傾斜して上方に延びる形状であり、保持部材取付部３２２の側壁３２２ａを押し付けることで（後述の図５参照）、保持部材３５の抜けを防止している。さらに、基体部３５ｂの弾性部３５ｃが設けられている部分の周囲には、弾性部３５ｃの両側に切欠部３５ｆが設けられている。この切欠部３５ｆにより、弾性部３５ｃの相対的な弾性変形量を増大させるようになっている。
【００２２】
また、基体部３５ｂの側部には、シールドケース３２の長手方向において係止部３５ｂから外れた位置に設けられ、シールドケース３２の長手方向に延びる支持部３５ｇ，３５ｈが設けられている。特に、支持部３５ｈの下部３５ｈ１と、シールドケース３２の底部３２ｃとの当接によって、保持部材３５の弾性部３５ｃが弾性変形して、シールドケース３２の内部側に引張られる場合でも、保持部材３５の当該引張られる方向への傾きが軽減され、シールドケース３２に対する保持部材３５の取り付け状態が安定するようになっている。
【００２３】
支持部３５ｈの端部３５ｉは二股形状とされ、シールドケース３２内の長手方向に延びる側壁に設けられた係止部（図外）と係止して、保持部材３５の上下方向における移動を規制して取り付け状態をより安定させるようになっている。
【００２４】
また、支持部３５ｇ，３５ｈは基体部３５ｂに直交するように形成され、その側面部はシールドケース３２の長手方向に延びる両側壁に当接するように設定されている。これにより、保持部材３５は当該両側壁によって取り付け姿勢が支持されるので、基体部３５ｂの一側部がシールドケース３２の内部側にずれてしまうことが軽減され、シールドケース３２内での保持部材３５の取り付け状態が更に安定する。
【００２５】
次に、シールドケース３２長手方向端部への保持部材３５の取付部について説明する。図５はシールドケース３２の長手方向端部を示す斜視図、図６及び図７は当該シールドケース３２端部に保持部材３５及び帯電ワイヤ３１を取り付けた状態を示す斜視図である。シールドケース３２の長手方向の端部３２１には、保持部材３５が収納されて取り付けられる保持部材取付部３２２と、帯電ワイヤ３１の一端部が取り付け・固定されるワイヤ固定部３２３とが設けられている。
【００２６】
保持部材取付部３２２は、シールドケース３２の長手方向端部の側壁３２２ａと、長手方向に延びる側壁３２２ｂと、突起部３２２ｃとで囲まれて形成されている。保持部材取付部３２２内の底部３２２ｄには、保持部材３５の弾性部３５ｃの下部が載置されるようになっている。この底部３２２ｄと突起部３２２ｃとの間には、保持部材３５の基体部３５ｂが挿入される穴３２２ｅが設けられている。保持部材３５の弾性部３５ｃがシールドケース３２の長手方向外側に突出している部分は、側壁３２２ａに設けられた２つの突起部３２２ｆの間に配置されるようになっている。
【００２７】
側壁３２２ａには切欠部３２ｂが設けられている。この切欠部３２ｂは、ワイヤ固定部３２３に取り付けられた状態の帯電ワイヤ３１の延長線上にあたり、かつ、保持部材３５が取り付けられる側壁３２２ａ部分に、シールドケース３２の内外を挿通させるようにして設けられている。さらに切欠部３２ｂは、ワイヤ固定部３２３に取り付けられた状態の帯電ワイヤ３１の位置（上下方向位置）よりも下方まで切り欠かれた形状とされている。
【００２８】
また、保持部材３５を保持部材取付部３２２に取り付けたとき、保持部材３５の基体部３５ｂは突起部３２２ｃに当接し、突出片３５ｅの先端部分は内壁３２２ｇに所定圧をもって接触するようになっている。
【００２９】
保持部材３５の支持部３５ｇは、図５及び図６におけるシールドケース３２の手前側の側壁３２２ｂに当接するようになっている。保持部材３５の支持部３５ｈは、その下部３５ｈ１がシールドケース３２の底部３２ｃに当接すると共に、その側面部が図５及び図６における奥側の側壁３２２ｂに当接するようになっている。支持部３５ｈの先端部３５ｉは、当該側壁３２２ｂと第２側壁３２２ｈとで挟み込まれるようになっている。この先端部３５ｉは、上記側壁３２２ｂと第２側壁３２２ｈとの間に設けられている係止部（図外）を挟み込むようにして取り付けられ、シールドケース３２（保持部材取付部３２２）に対して保持部材３５を上下方向に位置決めし、安定して導通させるものである。
【００３０】
また、シールドケース３２の筐体３２５は、シールドケース３２の端部３２１の側部３２４に取り付けられるようになっており、側部３２４に設けられた突起部３２４ａに、筐体３２５に形成されている穴３２５ａを嵌め込むことによって、端部３２１に対する筐体３２５の上下左右方向における位置決めがなされる。
【００３１】
帯電ワイヤ３１のシールドケース３２への取り付けについて、更に図８を参照して説明する。図８は帯電ワイヤ３１をワイヤ固定部３２３に組み付ける状態を概略的に示す斜視図である。まず、帯電ワイヤ３１をシールドケース３２の長手方向に延びるようにし、ワイヤ固定部３２３に設けられているワイヤ取付溝３２３ａにあてがった状態として、帯電ワイヤ３１の先端部分をシールドケース３２の切欠部３２ｂからシールドケース３２の外側に出した状態とする。そして、シールドケース３２の外側で帯電ワイヤ３１の先端部分を持ち、帯電ワイヤ３１に所要の張力を与えるために帯電ワイヤ３１を引張り、更に、ワイヤ取付溝３２３ａの底部に帯電ワイヤ３１を押し付けるために帯電ワイヤ３１を下方に押し下げる。上述したように、切欠部３２ｂは、ワイヤ固定部３２３に取り付けられた状態の帯電ワイヤ３１の位置よりも下方まで切り欠かれているので、この帯電ワイヤ３１を下方に押し下げる作業が可能となっている。
【００３２】
このようにして、帯電ワイヤ３１に所要の張力を与え、帯電ワイヤ３１をワイヤ取付溝３２３ａに押し付けた状態としてから、ワイヤ固定部３２３の嵌合穴３２３ｂに上方からＭＣピン３２３ｃを嵌め込んで、帯電ワイヤ３１をワイヤ固定部３２３に固定する。特に図示していないが、ＭＣピン３２３ｃの下部にも、ワイヤ取付溝３２３ａに対応した位置及び形状の取付溝が設けられており、当該取付溝とワイヤ取付溝３２３ａとで帯電ワイヤ３１を挟み込んでワイヤ固定部３２３に帯電ワイヤ３１を固定するようになっている。帯電ワイヤ３１の他端部は、弾性部材としてのばね部材により、シールドケース３２の長手方向の他端部に固定されている。
【００３３】
これにより、帯電ワイヤ３１は、シールドケース３２内において感光体ドラム４の幅方向に亘って所要の張力をもって張架された状態で固定される。なお、保持部材３５を保持部材取付部３２２に取り付けた後からでは、ワイヤ固定部３２３と切欠部３２ｂと間に保持部材３５が介在して、上記帯電ワイヤ３１の取り付け作業を行うことができないので、帯電ワイヤ３１の取り付けは、保持部材３５の取り付けよりも先に行うようにする。
【００３４】
次に、保持部材３５に対するグリッド３３の取り付けについて図９，図１０及び上記図２を参照して説明する。図９は保持部材３５をシールドケース３２の外側から押圧しようとする状態を概略的に示す斜視図、図１０は保持部材３５にグリッド３３を取り付けた状態を示す斜視図である。上記のようにして、帯電ワイヤ３１及び保持部材３５をシールドケース３２内に取り付けた後、まず、グリッド３３の後端部３３ｂに設けられた穴３３ｃを、シールドケース３２端部に設けられている突起３２７に係合させる（図２）。
【００３５】
そして、図９に示すように、シールドケース３２の外側から側壁３２２ａの切欠部３２ｂにドライバ等を挿し入れて保持部材３５を押圧し、保持部材３５の弾性部３５ｃをシールドケース３２の内側に弾性変形させる。保持部材３５がシールドケース３２の内側に弾性変形しているときに、グリッド３３の先端部３３ｄに設けられた穴３３ａを保持部材３５の係止部３５ａに係合させる（図１０）。このとき、係止部３５ａの鍔部３５ｄが穴３３ａからグリッド３３の上部に出て、グリッド３３の上下方向の移動を規制し、係止部３５ａに対するグリッド３３の位置を確実に固定する。このようにして、グリッド３３は、帯電ワイヤ３１と感光体ドラム４との間に介在させるようにしてシールドケース３２の開放部３２ａ（図１２）に取り付けられる。
【００３６】
シールドケース３２内における保持部材３５の配置は、上記のようにグリッド３３が取り付けられた状態で、弾性部３５ｃがシールドケース３２の内側に弾性変形した状態となるように設定されている。これにより、グリッド３３を突起３２７及び係止部３５ａに係合させてシールドケース３２に取り付けることにより、グリッド３３に所要の張力が付与されるようになっている。
【００３７】
このように本発明に係る帯電装置３によれば、保持部材３５の弾性部３５ｃがシールドケース３２の長手方向に突出させて折り曲げられた形状となっているため、グリッド３３が取り付けられて保持部材３５の弾性部３５ｃが弾性変形した場合に、弾性部３５ｃの上下方向長さのわりには撓み量が大きくなり、所要の張力を得るための弾性部３５ｃの調整・設定を簡単に行うことができる。これにより、グリッド３３の所要張力と、弾性部３５ｃからグリッド３３に付与される張力との誤差を少なくすることができるため、保持部材３５（弾性部３５ｃ）を小さく構成しても、比較的安定した張力をグリッド３３に付与することができる。
【００３８】
また、帯電ワイヤ３１の先端部分をシールドケース３２の切欠部３２ｂからシールドケース３２の外側に出した状態とし、シールドケース３２の外側に出た帯電ワイヤ３１の先端部を持って、所要の張力を与えるために帯電ワイヤを引張る作業を行うことができ、更には、ワイヤ固定部に帯電ワイヤを押し当てるために帯電ワイヤを下方に押し下げる作業を行うことができる。これにより、帯電ワイヤ３１をワイヤ固定部３２３に固定する作業が容易になり、帯電ワイヤ３１をシールドケース３２に組み付ける作業が簡単になる。
【００３９】
さらに、保持部材３５にグリッド３３を取り付ける時に、切欠部３２ｂを通してシールドケース３２の外側から保持部材３５をシールドケース３２の内側に押圧することができる。よって、グリッド３３を保持部材３５に取り付ける時に保持部材３５をシールドケース３２の内側に弾性変形させる作業を容易に行うことができる。これにより、グリッド３３を保持部材３５に取り付ける作業が容易になり、グリッド３３をシールドケース３２に組み付ける作業が簡単になる。
【００４０】
なお、本発明は上記実施の形態の構成に限られず種々の変形が可能である。例えば、上記実施の形態では、保持部材３５は、突出片３５ｅ，支持部３５ｇ及び支持部３５ｈが設けられた形状とされているが、これら突出片３５ｅ等がなく、保持部材は弾性部３５ｃ，係止部３５ａ及び基体部３５ｂからなるものとしてもよい。また、保持部材３５は、弾性部３５ｃがシールドケース３２の長手方向外側に突出させて折り曲げられた形状とされているが、このような保持部材３５に代えて、例えば、図１１に示すように、上述した突出片３５ｅ，支持部３５ｇ及び支持部３５ｈがなく、シールドケース３２の長手方向内側に突出させて折り曲げられた形状の弾性部３５０ｃを有する保持部材３５０を適用するようにしてもよい。
【００４１】
また、上記実施形態では、シールドケース３２の側壁３２２ａに設けられた切欠部３２ｂは、ワイヤ固定部３２３に取り付けられた状態の帯電ワイヤ３１の位置よりも下方まで切り欠かれた状態とされているが、ワイヤ固定部３２３に取り付けられた帯電ワイヤ３１の位置と同程度の位置までしか切り欠かれていない形状としてもよい。また、上記実施形態では、切欠部３２ｂは、ワイヤ固定部３２３に取り付けられた帯電ワイヤ３１の延長線上に配置されるように構成され、かつ、保持部材３５が取り付けられる側壁３２２ａ部分に設けられた構成としているが、これらのうち、いずれか１つのみを満たした構成としてもよい。
【００４２】
【発明の効果】
以上のように本発明によれば、保持部材の弾性部が、シールドケースの長手方向に突出させて折り曲げられた形状とされているので、この弾性部が弾性変形すると、その上下方向長さのわりには撓み量が大きくなり、所要の張力を得るための弾性部の調整・設定を簡単に行うことができる。これにより、グリッドの所要張力と、弾性部からグリッドに付与される張力との誤差を少なくすることができるため、保持部材を小さく構成しても、比較的安定した張力をグリッドに付与することができる。
【００４３】
また、弾性部がシールドケースの長手方向において内側に突出して折り曲げた構成とすれば、弾性部の折曲部分が、シールドケース長手方向における外側に突出しないので、保持部材の取り付けに要するシールドケースの長手方向のスペースを削減することができる。
【００４４】
また、保持部材を、グリッドが係止される係止部と、シールドケースの長手方向において当該係止部から外れた位置に設けられ、シールドケースの長手方向に延び、下部がシールドケース底部に当接する支持部を有する構成とすれば、当該支持部の下部とシールドケース底部との当接によって保持部材が支持されるため、保持部材の弾性部が弾性変形して保持部材がシールドケースの内部側に引張られる場合等に、当該引張られる方向への保持部材の傾きが軽減され、シールドケースに対する保持部材の取り付け状態が安定する。
【図面の簡単な説明】
【図１】本発明に係る帯電装置を備えた画像形成装置の概略構成を示す模式図である。
【図２】上記帯電装置を示す斜視図である。
【図３】保持部材の斜視図である。
【図４】図３とは別角度から見た保持部材の斜視図である。
【図５】シールドケースの長手方向端部を示す斜視図である。
【図６】上記シールドケース端部に保持部材及び帯電ワイヤを取り付けた状態を示す斜視図である。
【図７】上記シールドケース端部に保持部材及び帯電ワイヤを取り付けた状態を示す斜視図である。
【図８】帯電ワイヤをワイヤ固定部に組み付ける状態を概略的に示す斜視図である。
【図９】保持部材をシールドケースの外側から押圧しようとする状態を概略的に示す斜視図である。
【図１０】保持部材にグリッドを取り付けた状態を示す斜視図である。
【図１１】保持部材の他の実施形態を示す斜視図である。
【図１２】従来の帯電装置の概略構成を示す側断面図である。
【図１３】従来の保持部材を示す斜視図である。
【符号の説明】
１        複写機（画像形成装置）
３        帯電装置
４        感光体ドラム
３１      帯電ワイヤ
３２      シールドケース
３２ａ    開放部
３２ｂ    切欠部
３３      グリッド
３３ａ    穴
３５，３５０  保持部材
３５ｂ    基体部
３５ａ    係止部
３５ｈ    固定部
３５ｇ    固定部
３５ｃ    弾性部
３５ｅ    突出片
３２２    保持部材取付部
３２３    ワイヤ取付部
３２３ａ  ワイヤ取付溝
３２３ｃ  ピン
３２３ｂ  嵌合穴
３５０ｃ  弾性部
【図１】
0003597817.tif 000002
【図２】
0003597817.tif 000003
【図３】
0003597817.tif 000004
【図４】
0003597817.tif 000005
【図５】
0003597817.tif 000006
【図６】
0003597817.tif 000007
【図７】
0003597817.tif 000008
【図８】
0003597817.tif 000009
【図９】
0003597817.tif 000010
【図１０】
0003597817.tif 000011
【図１１】
0003597817.tif 000012
【図１２】
0003597817.tif 000013
【図１３】
0003597817.tif 000014